(57)【要約】【課題】回路基板への装着及び分離が容易で製造時の組み立て作業性及びメンテナンス性、破棄時の分解作業性に優れた前面パネルの取り付け構造を提供することを目的とする。【解決手段】本発明の前面パネル１の取り付け構造は、コンピュータや構内交換機等の電子機器の回路基板装着部に装着される回路基板への前面パネル１の取り付け構造であって、前面パネル１の裏面に直交して形設された基板押え部５と、前面パネル１の裏面から基板押え部５と略平行に突出した２乃至複数の突出部６と、突出部６の先端部の基板押え部５側に突設された係合爪部７と、回路基板の所定部に形成され回路基板の前端部側を基板押え部５と突出部６との間に挿入した状態で係合爪部７が係合する被係合部と、前面パネル１の一方の側部から回路基板の側部に沿って配設された支点形成部１２と、を備えた構成を有する。【選択図】図１
2006100374.tif 000002
【特許請求の範囲】
【請求項１】
コンピュータや構内交換機等の電子機器の回路基板装着部に装着される回路基板への前面パネルの取り付け構造であって、
前記前面パネルの裏面に直交して形設された基板押え部と、
前記前面パネルの裏面から前記基板押え部と略平行に突出した２乃至複数の突出部と、
前記突出部の先端部の前記基板押え部側に突設された係合爪部と、
前記回路基板の所定部に形成され前記回路基板の前端部側を前記基板押え部と前記突出部との間に挿入した状態で前記係合爪部が係合する被係合部と、
前記前面パネルの一方の側部から前記回路基板の側部に沿って配設された支点形成側面部と、
を備えたことを特徴とする前面パネルの取り付け構造。
【請求項２】
前記前面パネルの上端部及び／又は下端部に配設された補強部を備えたことを特徴とする請求項１に記載の前面パネルの取り付け構造。
【請求項３】
前記前面パネルの裏面に形設され前記回路基板の前端部を挟持する挟持部を備えたことを特徴とする請求項１又は２に記載の前面パネルの取り付け構造。
【請求項４】
前記前面パネルの裏面に形成された凸状又は凹状の位置決め部と、前記回路基板の前端部に形成され前記位置決め部が係合する凹状又は凸状の位置決め係合部と、を備えたことを特徴とする請求項１乃至３の内いずれか１項に記載の前面パネルの取り付け構造。
【請求項５】
前記支点形成側面部の反対側の前記前面パネルの側部に形設された回動操作部を備えたことを特徴とする請求項１乃至４の内いずれか１項に記載の前面パネルの取り付け構造。
【発明の詳細な説明】
【技術分野】
【０００１】
本発明は、コンピュータや構内交換機等の電子機器の回路基板装着部に装着される回路基板への前面パネルの取り付け構造に関する。
【背景技術】
【０００２】
近年、コンピュータや構内交換機、オフィスオートメーション機器等の電子機器において、製造時に組み込まれたプリント配線板等のメイン回路基板に対して、増設用の回路基板や新たな機能を組み込むためのオプション用の回路基板等を適宜必要に応じて組み込むことが行われている。このような増設用の回路基板やオプション用の回路基板等（以下、サブ回路基板という）は、メイン回路基板に予め設けられたコネクタを介してメイン回路基板に電気的に接続される。
【０００３】
（特許文献１）には、コンピュータ等の電子機器の基板装着用スロットに装着されるスロット装着型回路基板ユニットにおいて、フロントパネル（前面パネル）を回路基板に支持固定するためのフロントパネル及びハンドルの支持構造が記載されている。この支持構造は、把持部と嵌合部と、固定部材とが一体に形成されたハンドルを用い、ハンドルの固定部材をフロントパネルの貫通穴に挿通させ、嵌合部を貫通穴に嵌合すると共に、固定部材の上面に回路基板を当接させ、回路基板のネジ穴と固定部材のネジ穴にネジを連挿して螺合することにより、フロントパネルを回路基板に支持固定する構成を有している。
【特許文献１】実用新案登録３０２０５９４号公報
【発明の開示】
【発明が解決しようとする課題】
【０００４】
しかしながら上記従来の技術では、以下のような課題を有していた。
（１）（特許文献１）では、フロントパネルを回路基板にネジ止めにより支持固定しているので、製造時の組み立て作業において専用の固定治具を用いて回路基板を固定した状態でネジ止めを行う必要があり、作業性が悪いという課題を有していた。
（２）また、回路基板に実装した部品が破損又は故障した場合等の該部品の交換作業時、或いはメンテナンス時等において、フロントパネルの取り外し作業が煩雑でメンテナンス性に欠けるという課題があった。さらに、同様の理由で、ユニットを破棄する際の分別回収のための分解作業性に欠けるという課題を有していた。
【０００５】
本発明は上記従来の課題を解決するもので、回路基板への装着及び分離が容易で、製造時の組み立て作業性及びメンテナンス性、破棄時の分解作業性に優れた前面パネルの取り付け構造を提供することを目的とする。
【課題を解決するための手段】
【０００６】
上記課題を解決するために、本発明の前面パネルの取り付け構造は、コンピュータや構内交換機等の電子機器の回路基板装着部に装着される回路基板への前面パネルの取り付け構造であって、前面パネルの裏面に直交して形設された基板押え部と、前面パネルの裏面から基板押え部と略平行に突出した２乃至複数の突出部と、突出部の先端部の基板押え部側に突設された係合爪部と、回路基板の所定部に形成され回路基板の前端部側を基板押え部と突出部との間に挿入した状態で係合爪部が係合する被係合部と、前面パネルの一方の側部から回路基板の側部に沿って配設された支点形成側面部と、を備えた構成を有している。
【０００７】
これにより、回路基板への装着及び分離が容易で、製造時の組み立て作業性及びメンテ
ナンス性、破棄時の分解作業性に優れた前面パネルの取り付け構造を提供することができる。
【発明の効果】
【０００８】
以上説明したように本発明の前面パネルの取り付け構造によれば、以下のような有利な効果が得られる。
【０００９】
請求項１に記載の発明によれば、基板押え部と突出部を備えているので、回路基板を基板押え部と突出部との間に挿し入れるだけで係合爪部を被係合部に係合させ、前面パネルを回路基板に簡単に取り付けることができる取り付け作業の作業性に優れた前面パネルの取り付け構造を提供することができる。支点形成側面部を備えているので、支点形成側面部の縁部に形成された支点部を支点として前面パネルを回動させるだけで回路基板から簡単に取り外すことができる取り外しの作業性に優れた前面パネルの取り付け構造を提供することができる。
【００１０】
特に、前面パネルが２つの突出部及び係合爪部を有し、回路基板が２つの被係合部を有する場合、小さい力で前面パネルを回動させるだけで回路基板から簡単に取り外すことができる作業性に優れた前面パネルの取り付け構造を提供することができる。回路基板への取り付け及び取り外しが簡単にできるので、製造時の組み立て作業性及びメンテナンス性、破棄時の分解作業性に優れた前面パネルの取り付け構造を提供することができる。
【００１１】
請求項２に記載の発明によれば、請求項１の効果に加え、前面パネルの上端部及び／又は下端部に補強部が配設されているので、取り外し操作時にかかる曲げ応力等に耐え、破損や変形等を防止できる機械的強度に優れた前面パネルの取り付け構造を提供することができる。
【００１２】
回路基板の前端部に外部接続端子が実装されている場合は、外部接続端子を覆うように補強部を形成することにより、外部接続端子を保護することができる前面パネルの取り付け構造を提供することができる。
【００１３】
請求項３に記載の発明によれば、請求項１又は２の効果に加え、回路基板の前端部を挟持する挟持部を備えているので、前面パネルの前端部を強固に挟持して前面パネルの上下方向のずれやぐらつき等を防止できる取り付け時の安定性に優れた前面パネルの取り付け構造を提供することができる。
【００１４】
請求項４に記載の発明によれば、請求項１乃至３の内いずれか１項の効果に加え、位置決め部と位置決め係合部とを備えているので、前面パネルの回路基板に対する水平方向のずれやぐらつき等を防止できる取り付け時の安定性に優れた前面パネルの取り付け構造を提供することができる。
【００１５】
請求項５に記載の発明によれば、請求項１乃至４の内いずれか１項の効果に加え、回動操作部を備えているので、前面パネルを回路基板から取り外す場合に、前面パネルを回動させる操作を容易に行うことができる操作性に優れた前面パネルの取り付け構造を提供することができる。
【発明を実施するための最良の形態】
【００１６】
本発明は、回路基板への装着及び分離が容易で、製造時の組み立て作業性及びメンテナンス性、破棄時の分解作業性に優れた前面パネルの取り付け構造を提供するという目的を、前面パネルの裏面に直交して形設された基板押え部と、前面パネルの裏面から基板押え部と略平行に突出した２乃至複数の突出部と、突出部の先端部の基板押え部側に突設され
た係合爪部と、回路基板の所定部に形成され回路基板の前端部側を基板押え部と突出部との間に挿入した状態で係合爪部が係合する被係合部と、前面パネルの一方の側部から回路基板の側部に沿って配設された支点形成側面部と、を備えることにより実現した。
【００１７】
上記課題を解決するためになされた第１の発明は、コンピュータや構内交換機等の電子機器の回路基板装着部に装着される回路基板への前面パネルの取り付け構造であって、前面パネルの裏面に直交して形設された基板押え部と、前面パネルの裏面から基板押え部と略平行に突出した２乃至複数の突出部と、突出部の先端部の基板押え部側に突設された係合爪部と、回路基板の所定部に形成され回路基板の前端部側を基板押え部と突出部との間に挿入した状態で係合爪部が係合する被係合部と、前面パネルの一方の側部から回路基板の側部に沿って配設された支点形成側面部と、を備えた構成を有している。
【００１８】
この構成により、以下の作用を有する。
【００１９】
（１）前面パネルを回路基板に取り付ける場合、回路基板の前端部側を基板押え部と突出部との間に挿し入れ、該前端部を挟持部により挟持させると共に、突出部の先端部の係合爪部を回路基板の被係合部に係合させることができるので、回路基板を挿し入れるだけで前面パネルを回路基板に簡単に取り付けることができる。
【００２０】
（２）取り付けられた前面パネルを回路基板から取り外す場合、前面パネルを支点形成側面部の縁部に形成された支点部を支点として回動させ、回路基板の前端部を挟持部から抜き、係合爪部を被係合部から外すことができるので、前面パネルを回動させるだけで回路基板から簡単に取り外すことができる。
【００２１】
（３）特に、前面パネルが２つの突出部及び係合爪部を有し、回路基板が２つの被係合部を有する場合、前面パネルを支点部に近い方の係合爪部を中心として矢印の方向へ回動させ、支点部から遠い方の係合爪部を被係合部から外し、続いて支点部を支点として矢印の方向へ回動させ、回路基板の前端部を挟持部から抜きながら、係合爪部を被係合部から外すことができるので、小さい力で前面パネルを回動させるだけで回路基板から簡単に取り外すことができる。
【００２２】
（４）回路基板への取り付け及び取り外しが簡単にできるので、製造時の組み立て作業性及びメンテナンス性、破棄時の分解作業性に優れる。
【００２３】
上記課題を解決するためになされた第２の発明は、第１の発明に記載の前面パネルの取り付け構造であって、前面パネルの上端部及び／又は下端部に配設された補強部を備えた構成を有している。
【００２４】
この構成により、第１の発明の作用に加え、以下の作用を有する。
【００２５】
（１）前面パネルの上端部及び／又は下端部に補強部が配設されているので、前面パネルの機械的強度を高めることができ、取り外し操作時にかかる曲げ応力等に耐え、破損や変形等を防止できる。
【００２６】
（２）回路基板の前端部に外部接続端子が実装されている場合は、外部接続端子を覆うように補強部を形成することにより、外部接続端子を保護することができる。
【００２７】
上記課題を解決するためになされた第３の発明は、第１又は第２の発明に記載の前面パネルの取り付け構造であって、前面パネルの裏面に形設され回路基板の前端部を挟持する挟持部を備えた構成を有している。
【００２８】
この構成により、第１又は第２の発明の作用に加え、以下の作用を有する。
【００２９】
（１）回路基板の前端部を挟持する挟持部を備えているので、前面パネルの前端部を強固に挟持して前面パネルの上下方向のずれやぐらつき等を防止できる。
【００３０】
上記課題を解決するためになされた第４の発明は、第１乃至第３の発明の内いずれか１に記載の前面パネルの取り付け構造であって、前面パネルの裏面に形成された凸状又は凹状の位置決め部と、回路基板の前端部に形成され位置決め部が係合する凹状又は凸状の位置決め係合部と、を備えた構成を有している。
【００３１】
この構成により、第１乃至第３の発明の内いずれか１の作用に加え、以下の作用を有する。
【００３２】
（１）位置決め部と位置決め係合部とを備えているので、前面パネルの回路基板に対する水平方向のずれやぐらつき等を防止できる。
【００３３】
上記課題を解決するためになされた第５の発明は、第１乃至第４の発明の内いずれか１に記載の前面パネルの取り付け構造であって、支点形成側面部の反対側の前面パネルの側部に形設された回動操作部を備えた構成を有している。
【００３４】
この構成により、第１乃至第４の発明の内いずれか１の発明の作用に加え、以下の作用を有する。
【００３５】
（１）回動操作部を備えているので、前面パネルを回路基板から取り外す場合に、前面パネルを回動させる操作を容易に行うことができる。
【００３６】
（実施の形態１）
以下、本発明の実施の形態について、各図に基づいて説明する。図１は前面パネルの斜視図であり、図２（ａ）は前面パネルの正面図であり、図２（ｂ）は図２（ａ）のＡ−Ａ線の矢視断面図であり、図２（ｃ）は図２（ａ）のＢ−Ｂ線の矢視断面図である。
【００３７】
図中、１は前面パネル、２は前面パネル１の前面側を構成する前面部、３は前面部２の上端部に直交して一体的に形成された板状の上部補強部、４は前面部２の下端部に直交して一体的に形成された板状の下部補強部、５は下部補強部４の上面に直線状に形設された複数の基板押え部、６は前面部２の裏面から基板押え部５の上部に略平行に突出した舌片状の突出部、６ａは突出部６の上面に形成されたリブ、７は突出部６の先端部の基板押え部５側に突設された係合爪部、８は前面部２の裏面に形設された上部挟持片、９は下部補強部４の前面部２側に形成された段差部、９ａは段差部９の上面に形成された複数の突部である。
【００３８】
１０は上部挟持片８と段差部９とにより後述の回路基板の前端部を挟持する挟持部、１１は段差部９の上面の略中央部に形成された凸状の位置決め部、１２は前面部２の一方の側部に直交して一体的に形成された支点形成部、１３は支点形成部１２の縁部に形成された支点部、１４は前面部２の他方の側部に前面部２と同一面状に連設された回動操作部、１５は回動操作部１４の側縁部に形成された操作部補強部、１６は回動操作部１４の下部に形成されたネジ止め用開口部、１７は前面部２に形成され後述の回路基板に実装された外部接続用端子を露出させるための端子用開口部である。
【００３９】
ここで、前面パネル１はＡＢＳ樹脂やＰＳ樹脂、ポリプロピレン（ＰＰ）等の合成樹脂
により一体成形されている。これにより、製造コストを低下でき生産性に優れると共に、非導電性の材質を用いているので短絡を防止できる。また、突出部６は上下方向に弾性変形するように舌片状に形成されている。なお、突出部６の上面にはリブ６ａが形成され、突出部６が簡単に変形しないようにして、前面パネル１を回路基板２０に取り付けた時に係合爪部７が被係合部２１から簡単に外れないようにしている。
【００４０】
以上のように構成された本実施の形態１の前面パネルの取り付け構造について、以下その取り付け動作及び取り外し動作を図３乃至図５を用いて説明する。図３（ａ）は前面パネルを回路基板に取り付ける動作を示す斜視図であり、図３（ｂ）は挟持部を示す要部矢視断面図であり、図３（ｃ）は基板押え部と突出部を示す要部矢視断面図であり、図４（ａ）は前面パネルを回路基板から取り外す動作を示す斜視図であり、図４（ｂ）は前面パネルを回路基板から取り外す動作を示す平面図であり、図５は係止爪部の要部斜視図である。
【００４１】
図中、２０は前面パネル１が取り付けられる回路基板、２１は回路基板２０の所定部に形成された長孔状の被係合部、２２は回路基板２０の前端部に実装された外部接続端子、２３は回路基板２０の前端部側の側部に穿設されたネジ止め孔、２４は回路基板２０の前端部の略中央部に形成された凹状の位置決め係合部である。
【００４２】
前面パネル１を回路基板２０に取り付ける場合は、回路基板２０の前端部側を基板押え部５と突出部６との間に挿し入れ、奥まで挿し込むことにより、図３（ｂ）に示すように回路基板２０の前端部を挟持部１０の上部挟持片８と段差部９により挟持させると共に、図３（ｃ）に示すように突出部６の先端部の係合爪部７を回路基板２０の被係合部２１に係合させる。また、位置決め部１１を位置決め係合部２４に係合させる。このようにして、回路基板２０の前端部に前面パネル１が取り付けられる。
【００４３】
取り付けられた前面パネル１を回路基板２０から取り外す場合は、図４に示すように前面パネル１の回動操作部１４に指等を掛け、前面パネル１を支点部１３に近い方の係合爪部７を中心として図４（ｂ）に示す矢印の方向へ回動させ、支点部１３から遠い方の係合爪部７を被係合部２１から外す。続いて、支点部１３を支点として矢印の方向へ回動させ、回路基板２０の前端部を挟持部１０から抜きながら、係合爪部７を被係合部２１から外す。このようにして、回路基板２０から前面パネル１が取り外される。
【００４４】
なお、段差部９の上面の少なくとも上部挟持片８の下部の位置には、回路基板２０の挿入方向に延びる突部９ａが形成されているので、回路基板２０の前端部を上部挟持片８と突部９ａで強固に挟持できる。また、回動操作部１４の側縁部には操作部補強部１５が形成されているので、回路基板２０から前面パネル１を取り外す場合に回動操作部１４に大きな力が加わっても回動操作部１４の破損や変形等を防ぐことができる。
【００４５】
また、図５に示すように、係合爪部７は略楕円柱形状に形成されると共に、略楕円柱の底面から上部の角部に向けて斜めに切り取った傾斜部７ａが形成されている。また、被係合部２１は係合爪部７が挿入されるように、係合爪部７の形状に対応する略楕円形の長孔状に形成されている。これにより、回路基板２０を基板押え部５と突出部６との間に挿し込む際に、回路基板２０の前端部が係合爪部７の傾斜部７ａに当接し、突出部６を上方へ押し上げるため、回路基板２０を円滑に挿し込むことができると共に、前面パネル１を取り外す場合も、前面パネル１を回路基板２０に対して回動させると係合爪部７の円弧状の外壁面が被係合部２１の円弧状の内壁面に当接しながら滑って抜けるので、取り付け取り外し動作を円滑に行うことができる。
【００４６】
次に、前面パネル１が取り付けられた回路基板２０を電子機器に装着する動作について
図６及び図７を用いて説明する。図６は前面パネルが取り付けられた回路基板を電子機器に装着する動作を示す斜視図、図７は回路基板を電子機器に装着する動作の別の形態を示す斜視図である。図中、３０はコンピュータや構内交換機等の電子機器筐体、３０ａは電子機器筐体３０の側面に形成された端子用開口部、３１はメイン回路基板、３２，３２′はメイン回路基板３１に実装されたメイン側基板接続端子、３３は電子機器筐体３０の内部に固定されたネジ止め金具、３４，３４′は回路基板２０に下面或いは後端部に実装された基板接続端子、３５は電子機器筐体３０の側面に形成された基板挿入用開口部、３６はネジ、Ｘ，Ｘ′は回路基板装着部である。なお、図６及び図７において、電子機器筐体３０の上面カバーは説明をわかり易くするために省略している。
【００４７】
前面パネル１が取り付けられた回路基板２０を電子機器筐体３０内の回路基板装着部Ｘに装着する場合、図６に示すように、回路基板２０をメイン回路基板３１の上部に平行に配置し、回路基板２０の下面の基板接続端子３４をメイン側基板接続端子３２に接続すると共に、前面パネル１のネジ止め用開口部１６と連通したネジ止め孔２３にネジ３６を挿通させ、ネジ止め金具３３に螺着する。このとき、前面パネル１の前面に露出した外部接続端子２２が端子用開口部３０ａから露出するようにする。このようにして、回路基板２０は電子機器筐体３０内部に装着される。
【００４８】
また、図７に示すように、前面パネル１を取り付けた回路基板２０を電子機器筐体３０の側部から挿し込んで回路基板装着部Ｘ′に装着する場合もある。この場合、回路基板２０を前面パネル１と略同形状に形成された基板挿入用開口部３５に挿入し、回路基板２０の後端部の基板接続端子３４′をメイン側基板接続端子３２′に接続する。前面パネル１は基板挿入用開口部３５に嵌め込まれ、外部接続端子２２が電子機器筐体３０の側面に露出する。
【００４９】
以上のように本実施の形態１における前面パネル１の取り付け構造は構成されているので、以下のような作用を有する。
【００５０】
（１）回路基板２０の前端部側を基板押え部５と突出部６との間に挿し入れ、回路基板２０の前端部を挟持部１０に挟持させると共に、突出部６の先端部の係合爪部７を回路基板２０の被係合部２１に係合させることができるので、回路基板２０を挿し入れるだけで前面パネル１を回路基板２０に取り付けることができる。
【００５１】
（２）前面パネル１が左右に２つの突出部６及び係合爪部７を有し、回路基板２０が２つの被係合部２１を有しているので、まず、前面パネル１を支点部１３に近い方の係合爪部７を中心として回動させることで、支点部１３から遠い方の係合爪部７を被係合部２１から外し、次に、支点部１３を支点としてさらに回動させ、回路基板２０の前端部を挟持部１０から抜きながら、係合爪部７を被係合部２１から外すことができるので、小さい力で前面パネル１を回動させるだけで回路基板２０から取り外すことができる。
【００５２】
（３）前面パネル１の回路基板２０への取り付け及び取り外しが簡単にできるので、製造時の組み立て作業性及びメンテナンス性、破棄時の分解作業性に優れる。
【００５３】
（４）前面パネル１の上端部及び下端部に直交して板状の上部補強部３及び下部補強部４が一体的に配設されているので、前面パネル１の機械的強度を高めることができ、取り外し操作時にかかる曲げ応力等に耐え、破損や変形等を防止できると共に、外部接続端子２２を覆うように上部補強部３が形成されているので、外部接続端子２２を保護することができる。
【００５４】
（５）前面部２の裏面側に回路基板２０の前端部を挟持する上部挟持片８及び段差部９
からなる挟持部１０を備えているので、前面パネル１の前端部を強固に挟持して前面パネル１の上下方向のずれやぐらつき等を防止できると共に、位置決め部１１と位置決め係合部２４とを備えているので、前面パネル１の回路基板２０に対する水平方向のずれやぐらつき等を防止できる。
【００５５】
（６）回動操作部１４を備えているので、前面パネル１を回路基板２０から取り外す場合に、前面パネル１を回動させる操作を容易に行うことができる。
【産業上の利用可能性】
【００５６】
本発明は、コンピュータや構内交換機等の電子機器の回路基板装着部に装着される回路基板への前面パネルの取り付け構造に関し、特に本発明によれば、回路基板への装着及び分離が容易で、製造時の組み立て作業性及びメンテナンス性、破棄時の分解作業性に優れた前面パネルの取り付け構造を提供することができる。
【図面の簡単な説明】
【００５７】
【図１】前面パネルの斜視図
【図２】（ａ）前面パネルの正面図、（ｂ）図２（ａ）のＡ−Ａ線の矢視断面図、（ｃ）図２（ａ）のＢ−Ｂ線の矢視断面図
【図３】（ａ）前面パネルを回路基板に取り付ける動作を示す斜視図、（ｂ）挟持部を示す要部矢視断面図、（ｃ）基板押え部と突出部を示す要部矢視断面図
【図４】（ａ）前面パネルを回路基板から取り外す動作を示す斜視図、（ｂ）前面パネルを回路基板から取り外す動作を示す平面図
【図５】係止爪部の要部斜視図
【図６】前面パネルが取り付けられた回路基板を電子機器に装着する動作を示す斜視図
【図７】回路基板を電子機器に装着する動作の別の形態を示す斜視図
【符号の説明】
【００５８】
１    前面パネル
２    前面部
３    上部補強部
４    下部補強部
５    基板押え部
６    突出部
６ａ    リブ
７    係合爪部
７ａ    傾斜部
８    上部挟持片
９    段差部
９ａ    突部
１０    挟持部
１１    位置決め部
１２    支点形成部
１３    支点部
１４    回動操作部
１５    操作部補強部
１６    ネジ止め用開口部
１７    端子用開口部
２０    回路基板
２１    被係合部
２２    外部接続端子
２３    ネジ止め孔
２４    位置決め係合部
３０    電子機器筐体
３０ａ    端子用開口部
３１    メイン回路基板
３２，３２′    メイン側基板接続端子
３３    ネジ止め金具
３４，３４′    基板接続端子
３５    基板挿入用開口部
Ｘ，Ｘ′    回路基板装着部
【図１】
2006100374.tif 000003
【図２】
2006100374.tif 000004
【図３】
2006100374.tif 000005
【図４】
2006100374.tif 000006
【図５】
2006100374.tif 000007
【図６】
2006100374.tif 000008
【図７】
2006100374.tif 000009